(57)【要約】オストミーパウチ（１０）は、周辺部に沿って互いに接続された第１側壁（１６）と第２側壁（１８）とを有する取集パウチ（１２）であって、第１側壁と第２側壁との間に画定された取集空洞（２０）を有する取集パウチ（１２）と、取集パウチに接続され、且つ取集パウチから延在する出口（１４）であって、取集空洞に接続された内部通路（２４）を画定し、結合要素（２６）を有する出口（１４）と、出口に結合されるために結合要素に係合するように構成された排水アダプタ（２８）とを含む。出口は、取集パウチを閉鎖するために閉鎖状態へ折り畳み可能であり、且つ取集パウチを排水するために開放状態へ展開可能である。
2019505314.tif 000002
【特許請求の範囲】
【請求項１】
オストミーパウチであって、
周辺部に沿って互いに接続された第１側壁と第２側壁とを有する取集パウチであって、前記第１側壁と前記第２側壁との間に画定された取集空洞を有する取集パウチと、
前記取集パウチに接続され、且つ前記取集パウチから延在する出口であって、前記取集空洞に接続された内部通路を画定し、結合要素を有する出口と、
前記出口に結合されるために前記結合要素に係合するように構成された排水アダプタと
を含み、
前記出口は、前記取集パウチを閉鎖するために閉鎖状態へ折り畳み可能であり、且つ前記取集パウチを排水するために開放状態へ展開可能である、オストミーパウチ。
【請求項２】
前記結合要素は、前記排水アダプタに密封可能に係合するように構成されたパウチ密封バンドを含む、請求項１に記載のオストミーパウチ。
【請求項３】
前記排水アダプタは、前記パウチ密封バンドを受けるように構成された第１溝を含む、請求項２に記載のオストミーパウチ。
【請求項４】
前記排水アダプタの周りに適合するように構成された係止要素をさらに含む、請求項３に記載のオストミーパウチ。
【請求項５】
前記係止要素は、Ｏリングである、請求項４に記載のオストミーパウチ。
【請求項６】
前記係止要素は、前記排水アダプタ上の第１位置から、前記係止要素が前記排水アダプタ、前記結合要素及び前記出口の上に適合する第２位置へ可動である、請求項４に記載のオストミーパウチ。
【請求項７】
前記排水アダプタは、前記係止要素を受けるように構成された第２溝を含む、請求項６に記載のオストミーパウチ。
【請求項８】
前記排水アダプタは、前記係止要素を前記第２位置において受けるように構成された第２溝と、前記係止要素を前記第１位置において受けるように構成された第３溝とを含む、請求項６に記載のオストミーパウチ。
【請求項９】
前記排水アダプタは、前記結合要素内に受け入れられる第１セグメントを有する、請求項１に記載のオストミーパウチ。
【請求項１０】
前記排水アダプタは、前記結合要素から延在する第２セグメントを有する、請求項９に記載のオストミーパウチ。
【請求項１１】
前記結合要素は、横方向に離間された脚部と、把持部であって、その中に形成されている、前記脚部間に延在するスリットを有する把持部と、前記排水アダプタに密封可能に係合するように構成されたパウチ密封バンドとを含む、請求項１に記載のオストミーパウチ。
【発明の詳細な説明】
【技術分野】
【０００１】
以下の説明は、概して、オストミー器具、特に、夜間排水アダプタを有するオストミーパウチに関する。
【背景技術】
【０００２】
体の老廃物を収集するためのオストミーパウチは、外科手術、例えば、結腸人工肛門造設術、回腸人工肛門造設術、又は人工膀胱造設術を受けた患者によって使用される。オストミーパウチは、典型的には、平らな対向側壁であって、取集空洞を画定するためにそれらの縁に沿って共に固定された平らな対向側壁を含む。側壁の一方には、ストーマを受けるための開口と、ストーマを通じて排出された体の老廃物がストーマ／バリア／パウチ環境の外への漏出なしに空洞内に受けられるようにパウチをユーザに固定するための手段、例えば粘着性バリアとが設けられる。
【０００３】
オストミーパウチは、下端に排出開口を有する排水性パウチであり得る。排出開口は、体の老廃物材料の取集中に閉鎖され得るが、パウチから老廃物材料を排水するために開放され得る。そのような排水性オストミーパウチは、例えば、Ｎｏｌａｎの（特許文献１）及びＪｅｎｓｅｎらの（特許文献２）において開示されており、これらの文献は、その全体が参照により本明細書に組み込まれる。
【０００４】
排水性オストミーパウチの排出開口は、典型的には、狭くなった首部分の端に画定される。この狭くなった首部分の端には、老廃物材料がパウチから排出されるまで排出開口を密封状態に維持するための閉鎖手段が設けられる。閉鎖手段は、前述のＮｏｌａｎ特許におけるようにクランプの形態を取り得、又は首部分を上方へ巻かれた状態で固定するための従来のワイヤタイヤ若しくはラップなどのデバイスであり得る。
【０００５】
日常での使用において、体の老廃物がオストミーパウチに堆積し得る。したがって、オストミーパウチは、時折排水される必要がある。体の老廃物は、排出開口を開放することによってオストミーパウチから排水され得る。例えば、排出開口を閉鎖するために上方へ巻かれた首部を有するオストミーパウチでは、首部は、体の老廃物を放出するために広げられ得る。しかしながら、夜間の使用について、そのように時折排水することは、睡眠を妨げるため、患者にとって都合が良くない場合がある。
【０００６】
これに対応するために、いくつかのオストミーパウチは、夜間排水システムへ取り付けられるように準備されている。夜間排水システムは、一端で排出開口に、且つ他端で夜間貯蔵器に結合されるホース又はチューブを含み得る。夜間貯蔵器は、排水される必要なしに一晩中体の老廃物を取集するのに十分な容積のものである。
【０００７】
しかしながら、上方へ折り畳み可能な閉鎖具を有するオストミーパウチは、折り畳むことを可能にするための可撓性を優先して十分な結合面を欠いているため、夜間排水システムへの取付に好適ではない。したがって、夜間の使用に備えるために、患者は、上方へ折り畳み可能な閉鎖具を有するオストミーパウチを取り外し、それを夜間排水システムへ結合するのに好適な排出開口を有するオストミーパウチと交換しなければならない。患者の体の上でオストミーパウチを交換することは、時間がかかり、労働集約的であり、且つ不便であることがある。加えて、患者の体の上でオストミーパウチを取り外し、交換することは、ストーマ周囲の領域において刺激を生じ得る。
【先行技術文献】
【特許文献】
【０００８】
【特許文献１】米国特許第３，５２３，５３４号明細書
【特許文献２】米国特許第４，４１１，６５９号明細書
【発明の概要】
【発明が解決しようとする課題】
【０００９】
したがって、夜間排水システムへの接続に好適である折り畳み可能な出口を有する排水性オストミーパウチを提供することが望ましい。
【課題を解決するための手段】
【００１０】
一実施形態によれば、オストミーパウチであって、周辺部に沿って互いに接続された第１側壁と第２側壁とを有する取集パウチであって、第１側壁と第２側壁との間に画定された取集空洞を有する取集パウチと、取集パウチに接続され、且つ取集パウチから延在する出口であって、取集空洞に接続された内部通路を画定し、結合要素を有する出口と、出口に結合されるために結合要素に係合するように構成された排水アダプタとを含むオストミーパウチが提供される。出口は、取集パウチを閉鎖するために閉鎖状態へ折り畳み可能であり、且つ取集パウチを排水するために開放状態へ展開可能である。
【００１１】
本開示の他の目的、特徴及び利点は、添付の図面と併せて以下の説明から明らかとなり、同様の符号は、同様の部品、要素、コンポーネント、ステップ及びプロセスを指す。
【図面の簡単な説明】
【００１２】
【図１】本明細書において説明される実施形態によるオストミーパウチの斜視図である。
【図２】本明細書において説明される実施形態による、出口において排水アダプタを受けるように構成された図１のオストミーパウチの斜視図である。
【図３】本明細書において説明される実施形態による、出口において部分的に設置された排水アダプタを有する図１のオストミーパウチの斜視図である。
【図４】本明細書において説明される実施形態による、出口において完全に設置された排水アダプタを有する図１のオストミーパウチの斜視図である。
【発明を実施するための形態】
【００１３】
本開示は、様々な形態の実施形態が可能であるが、本開示は、説明目的でのみ検討され、本開示を説明又は図示されたいずれの特定の実施形態にも限定することを意図しないという理解の下に、１つ又は複数の実施形態が図面に示され且つ以下で説明される。
【００１４】
図１〜４を全体として参照すると、本明細書において説明される実施形態は、取集パウチ１２と出口１４とを有するオストミーパウチ１０を有する。取集パウチ１２は、一般に、周辺部で互いに接合された第１側壁１６と第２側壁１８とによって形成され得るか、又は単一のユニットとして互いに一体的に接続され得る。取集空洞２０が取集パウチ１２内に、すなわち第１側壁１６と第２側壁１８との間に画定される。取集パウチ１２は、ストーマからの排出物がストーマから取集空洞２０に受けられ得るようにストーマを受けるように構成されている、側壁１６、１８の一方に形成された入口（図示せず）も含む。この入口は、取集パウチ１２の上部分に位置付けられ得る。取集パウチ１２は、出口１４への接続のために構成された排出ポート２２をさらに含む。排出ポート２２は、例えば、周辺部又は側壁１６、１８の一方に形成された開口であり得、取集パウチ１２の下部分に配置され得る。
【００１５】
一実施形態において、出口１４は、例えば、成形プロセスにおいて単一の連続的な部品として形成され得る。出口１４は、内容物が取集空洞２０から内部通路２４へ流入し得るように、取集空洞２０に接続された内部通路２４（例えば、図２を参照されたい）を含む。一実施形態において、出口１４は、取集パウチ１２とは別個に形成され得、且つ排出ポート２２で取集パウチ１２に接続され得る。出口１４は、内容物が取集空洞２０から内部通路２４へ漏れずに流れるように、取集パウチ１２に対して出口１４を密封する任意の好適な方法で取集パウチ１２に接続され得る。例えば、出口１４は、取集パウチ１２に対して熱密封、溶接などされ得る。他の実施形態において、出口１４は、取集パウチ１２と一体的及び連続的に形成され得る。出口１４は、取集パウチ１２と比較して狭くなった首部分を有して形成され得る。
【００１６】
一実施形態において、出口１４は、取集空洞からの内容物の故意ではない漏出を限定又は防止するために、取集パウチ１２の取集空洞２０を閉鎖及び／密封するように構成された閉鎖部材でもあり得る。例えば、出口１４は、内部通路２４を閉鎖又は密封するために、したがって取集空洞２０を、その内容物が出ていくのを防止するために閉鎖又は密封するために、１回又は複数回折り畳まれ得るか又は巻かれ得る。出口１４は、好適な閉鎖具（図示せず）で閉鎖状態に保持され得る。
【００１７】
図１を参照すると、一実施形態において、出口１４は、結合要素２６を含む。結合要素２６は、出口１４と一体的及び連続的に形成され得る。例えば、結合要素２６は、さらに以下で説明される排水アダプタ２８への結合のための所定の形状及び構成で厚さが増加したセクションとして形成され得る。代替的に、結合要素２６は、出口１４とは別個に形成されて出口１４に固定され得る。例えば、結合要素２６は、内部通路２４内で出口１４に固定され得、出口１４の内部壁に密封され得る。
【００１８】
一実施形態において、結合要素２６は、一般に、横方向に離間された脚部３０と、脚部３０間に延在する把持部３２とを含む。把持部３２は、出口１４の末端部３４において、出口１４の排出端部に対応する位置に実質的に位置付けられ得る。代替的に、把持部３２、又は結合要素２６の自由端部は、出口１４内に位置付けられ得、支持体であって、それを中心として出口１４が閉鎖されるように折り畳まれ得る支持体として機能し得る。把持部３２は、内部通路２４に接続されたスリット３６を含む。結合要素２６は、脚部３０間に延在するパウチ密封バンド３８も含む。パウチ密封バンド３８は、把持部３２と取集パウチ１２との間に位置付けられる。
【００１９】
結合要素２６は、弾性的に変形可能な材料から形成され得る。一実施形態において、弾性的に変形可能な材料は、スリット３６及びパウチ密封バンド３８を閉鎖位置に向かうように促す。結合要素２６は、弾性的に変形可能な材料の固有のばね力下において、又は補助付勢要素、例えば板ばね若しくは他の同様のばねによって付勢され得る。
【００２０】
なおも図１を参照すると、排水アダプタ２８は、出口１４の内部通路２４及び取集空洞２０への接続のために構成された内部アダプタ通路４０を画定する。排水アダプタ２８はまた、第１溝４２と第２溝４４とを含む。第１及び第２溝４２、４４は、排水アダプタ２８の外側に位置付けられ、一実施形態において排水アダプタ２８の外側周辺部の周り全体に延在する。
【００２１】
排水アダプタ２８は、その長さに沿って直列に位置付けられた第１セグメント４６と第２セグメント４８とを含む。第１セグメント４６は、結合要素２６に結合されるように構成され、第２セグメント４８は、結合要素２６及び出口１４に結合されると、それらの結合要素２６及び出口１４から外向きに延在するように構成される。一実施形態において、第２セグメント４８が出口１４及び第１結合要素から外向き及び外側に延在するように構成される一方、第１セグメント４６の少なくとも一部は、出口１４及び結合要素２６内に受けられるように構成される。夜間排水システムのホース又はチューブ（図示せず）は、第２セグメント４８に取り付けられ得る。第１及び第２溝４２、４４は、第１セグメント４６に形成され得る。排水アダプタ２８の幅は、長さの少なくとも一部に沿って、出口１４に挿入されるアダプタ２８の先端部に向かって移動するときに減少するように先細であり得る。
【００２２】
図２は、本明細書において説明される一実施形態による、排水アダプタ２８が結合要素２６に結合され得る位置におけるオストミーパウチ１０を示す。図２を参照すると、結合要素２６は、閉鎖位置から開放位置へ移動され得、このとき、スリット３６及びパウチ密封バンド３８の両方が開放位置へ移動される。閉鎖位置から開放位置への移動は、例えば、結合要素２６を弾性的に変形させるために、横方向に離間された脚部３０（図１）に対し、対向する内部へ向けられた力をかけることによって行われ得る。
【００２３】
一実施形態において、スリット３６は、把持部３２の対向して位置付けられたセクション５０によって画定され得る。同様に、一実施形態において、パウチ密封バンド３８は、対向して位置付けられた第１及び第２バンド５２を含み得る。閉鎖位置において、図１に示されるとおり、対向して位置付けられた把持部セクション５０は、スリット３６を実質的に又は完全に閉鎖するために互いに向かうように促される。同様に、第１及び第２バンド５２は、閉鎖位置において互いに向かうように促される。図２を参照すると、開放位置において、把持部３２の対向して位置付けられたセクション５０は、他方から離れるように偏向される。同様に、開放位置において、対向して位置付けられた第１及び第２バンド５２は、互いから離れるように偏向される。したがって、一実施形態において、排水アダプタ２８は、結合要素２６が開放位置にあり、結合要素２６を介して出口１４に結合された状態で出口１４に受けられ得る。
【００２４】
図３は、本明細書において説明される一実施形態による、出口１４の結合要素２６に受けられ、且つそれに部分的に結合された排水アダプタ２８を示す。図３を参照すると、排水アダプタ２８は、排水アダプタ２８が内部通路２４に位置付けられるように、開放されたスリット３６及びパウチ密封バンド３８を通じて受けられ得る。この位置において、結合要素２６及び出口１４が排水アダプタ２８の第１セグメント上の位置で排水アダプタ２８へ密封されるように、パウチ密封バンド３８が第１溝４２に受けられる。一実施形態において、パウチ密封バンド３８は、特に第１溝４２において、第１結合部材を形成する材料のばね力下で排水アダプタ２８内へ促され、且つ排水アダプタ２８に密封接触した状態で保持される。さらに、横方向に離間された脚部３０も排水アダプタ２８に対して密封し得る。
【００２５】
なおも図３を参照すると、一実施形態において、オストミーパウチ１０は、例えば、Ｏリングの形態の係止要素５４も含み得る。係止要素５４は、最初に排水アダプタ２８の第２セグメント４８上に配置され得、以下で検討されるとおり、排水アダプタ２８の第２溝４４に受けられるように構成される。
【００２６】
図４は、本明細書において説明される一実施形態による、出口１４の結合要素２６に結合され、且つ夜間排水システム（図示せず）と共に使用できる状態である排水アダプタ２８を示す。図４を参照すると、一実施形態において、排水アダプタ２８は、第３溝５６であって、排水アダプタ２８が使用されていないときに係止要素５４が最初に位置付けられ且つ保持され得る第３溝５６をさらに含み得る。排水アダプタ２８が結合要素２６において設置された状態で、係止要素５４は、第３溝５６から第２溝４４へ移動され得る（図３を参照されたい）。この位置において、係止要素５４は、取集バッグ１２からの故意ではない取り外しに抗してこの組立体を共に固定するために、出口１４、結合要素２６及び排水アダプタ２８の周りに延在することができる。加えて、係止要素５６は、排水アダプタ２８に対する別の密封を形成し得る。
【００２７】
したがって、上記の実施形態において、オストミーパウチは、取集パウチであって、日常での使用においてこの取集パウチを閉鎖及び／又は密封するために折り畳まれ、この取集パウチを排水するか又は空にするために展開される折り畳み可能な出口を有する取集パウチを含み得る。オストミーパウチは、オストミーパウチを夜間排水システムに接続するために折り畳み可能な出口と共に使用するために構成された排水アダプタをさらに含む。このアダプタは、結合要素によって出口に密封可能に接続され、係止要素、例えばＯリングによって出口にさらに固定される。したがって、折り畳み可能な出口を有するオストミーパウチは、夜間排水バッグ又はシステムに固定的に接続され得る。取集パウチの内容物は、出口の内部通路を通ってアダプタ内部通路に入り、最終的に夜間排水バッグ又はシステムに入るように流れ得る。上記の実施形態において、出口及びアダプタの両方は射出成形され得る。しかしながら、他の好適な製造プロセスも用いられ得る。
【００２８】
本明細書において言及された全ての特許は、本開示の本文においてそのように具体的に指示されていようがいまいが、その全体が参照により本明細書に組み込まれる。
【００２９】
本開示において、「１つの（ａ）」又は「１つの（ａｎ）」という語は、単数及び複数の両方を含むと解釈される。反対に、複数の品目へのいずれの言及も、適切な場合には単数を含む。
【００３０】
前述したように、多くの修正形態及び変更形態が本発明の新規な概念の真の趣旨及び範囲から逸脱することなく達成され得ることが認められる。図示された特定の実施形態に対する限定は意図されず、又は推測されるべきでないことを理解されたい。本開示は、添付の特許請求の範囲により、特許請求の範囲内に含まれる全ての修正形態を包含することを意図される。
【図１】
2019505314.tif 000003
【図２】
2019505314.tif 000004
【図３】
2019505314.tif 000005
【図４】
2019505314.tif 000006
2019505314.tif 000007
2019505314.tif 000008
2019505314.tif 000009
2019505314.tif 000010
【図５】
2019505314.tif 000011
【図６】
2019505314.tif 000012
【図７】
2019505314.tif 000013
【図８】
2019505314.tif 000014
【図９】
2019505314.tif 000015
【図１０】
2019505314.tif 000016
【図１１】
2019505314.tif 000017
【図１２】
2019505314.tif 000018
【図１３】
2019505314.tif 000019
【図１４】
2019505314.tif 000020
【図１５】
2019505314.tif 000021
【図１６】
2019505314.tif 000022
【図１７】
2019505314.tif 000023
【図１８】
2019505314.tif 000024
【図１９】
2019505314.tif 000025
【図２０】
2019505314.tif 000026
【図２１Ａ】
2019505314.tif 000027
【図２１Ｂ】
2019505314.tif 000028
【図２２Ａ】
2019505314.tif 000029
【図２２Ｂ】
2019505314.tif 000030
【図２３】
2019505314.tif 000031
【図２４】
2019505314.tif 000032
【図２５】
2019505314.tif 000033
【図２６】
2019505314.tif 000034
【図２７】
2019505314.tif 000035
【図２８】
2019505314.tif 000036
【図２９】
2019505314.tif 000037
【図３０】
2019505314.tif 000038
【図３１】
2019505314.tif 000039
【国際調査報告】
2019505314.tif 000040
2019505314.tif 000041
2019505314.tif 000042